(57)【要約】【課題】棒線材圧延設備に設置されたフライングシャーを用いて棒線材の尾端部をクロップとして切断する方法において、クロップ長さの短尺化によりクロップがフライングシャー下刃上面で残留するという問題を解決することにより、クロップ長さの短尺化を図る。【解決手段】棒線材圧延設備に設置されたフライングシャー６を用いて棒線材Ｓの尾端部を切断する方法において、棒線材Ｓの尾端部を切断した後に、後続の棒棒線材がフライングシャー６に到達するまでの間において、フライングシャー６を更に１回転以上させるか、又は棒線材Ｓの尾端部を切断した後に引き続いて前記フライングシャー６を更に１回転以上面回転させることにより、フライングシャーの下刃１２に残留したクロップＫを、遠心力によって振り落とす。【選択図】　図２
2004106047.tif 000002
【特許請求の範囲】
【請求項１】
棒線材圧延設備に設置されたフライングシャーを用いて該棒線材の尾端部を切断する方法において、該棒線材の尾端部を切断した後に、後続の棒線材が前記フライングシャーに到達するまでの間において、該フライングシャーを１回転以上回転させることを特徴とする棒線材圧延におけるクロップ落下方法。
【請求項２】
棒線材圧延設備に設置されたフライングシャーを用いて該棒線材の尾端部を切断する方法において、該棒線材の尾端部を切断した後に引き続いて前記フライングシャーを１回転以上回転させることを特徴とする棒線材圧延におけるクロップ落下方法。
【発明の詳細な説明】
【０００１】
【発明の属する技術分野】
本発明は、線材又は／及び棒材（以下、棒線材という）の圧延設備に設置されたフライングシャーを用いて棒線材の尾端部を切断し、クロップとして排出する方法において、クロップがフライングシャーの下刃上面に残留するのを防止する方法に関する。
【０００２】
【従来の技術】
一般に、連続圧延される棒線材は、その途中で先頭部及び後端部に、曲がり・割れ等の形状不良が発生し易く、形状不良が発生した先頭部及び後端部が圧延機やローラーガイドに衝突すると、これらの破損及びミスロール、製品不良の原因となる。
【０００３】
そこで、棒線材の圧延設備においては、圧延ラインの途中にフライングシャーやロータリーシャーを設置し、これらのシャーにより、棒線材の先頭部及び尾端部を、クロップとして切り捨てる処理を行っている。
【０００４】
ところが、図４に示すように、フライングシャーを（ａ），（ｂ），（ｃ）の順で作動させて、棒線材Ｓの尾端部を切断するとき、図４（ｂ）に示すように、下刃上面の後方寄りに位置していたクロップｋは、下刃ｄの矢印ｅ方向への移動に伴って前進し、前方に放出されようとする。しかし、前方には尾端部を切断した棒線材ｓが位置するので、クロップｋはこの棒線材ｓに進路を邪魔されて前方に放出されずに停止し、図４（ｃ）に示すように、下刃上面でバランスをとった位置でフライングシャーとともに停止する場合がある。
【０００５】
図４（ｃ）に示すように、クロップｋが下刃上面でバランスをとった状態で停止すると、次に、後続棒線材の先頭部を切断するとき、クロップＫは図４（ｄ）から図４（ｅ）へと移動する。その結果、図４（ｅ）に示すように、フライングシャーは下刃上面のクロップｋと後続の棒線材Ｓの先頭部を重ねて切断することになり、フライングシャーは過大な負荷により回転不能となって停止しミスロールが発生して圧延作業を中止しなければならない。
【０００６】
クロップとして切り捨てる必要長さは、１５０ｍｍ程度であるが、切り捨て長さを１５０ｍｍにすると、図４の（ｃ）に示すように、クロップＫがフライングシャーの下刃上面に残留し易くなる。そのため、従来は下刃上面に残留したクロップが下刃上面でバランスを失って落下するように、クロップの長さを２５０ｍｍとし、１００ｍｍ余分に切り捨てていた。棒線材の尾端部は先頭部と比べて疵が少なく不良部分が短いので、尾端クロップの長尺化は特に無駄が大きいことになる。
【０００７】
下刃上面でのクロップの残留を防止する方法として、例えば特許文献１には、鋼板を切断する直動式シャーにおいて、下刃上面に傾斜面を形成することで、クロップを傾斜面に沿って滑落させる方法が記載されている。この方法を棒線材のフライングシャーに適用した場合、クロップの落下促進に多少の効果があると考えられるが、クロップが下刃上面で残留する原因が、前記のようにクロップが下刃上面を移動してバランスをとることであるから、抜本的解決策にはならない。
【特許文献１】
特開平１１−３１９９１３号公報
【０００８】
【発明が解決しようとする課題】
本発明は、棒線材圧延設備に設置されたフライングシャーを用いて棒線材の尾端部をクロップとして切断する方法において、クロップ長さを短尺化したとき、クロップがフライングシャー下刃上面で残留するという問題を解決することにより、クロップ長さの短尺化を図ることを目的とする。
【０００９】
【課題を解決するための手段】
本発明は、下刃上面でバランスをとったクロップを、フライングシャーを空回りさせることにより、遠心力によって振り落とすように構成したものであり、その要旨とするところは、
（１）棒線材圧延設備に設置されたフライングシャーを用いて棒線材の尾端部を切断する方法において、該棒線材の尾端部を切断した後に、後続の棒線材が前記フライングシャーに到達するまでの間において、該フライングシャーを更に１回転以上回転させることを特徴とする棒線材圧延におけるクロップ落下方法。
（２）棒線材圧延設備に設置されたフライングシャーを用いて棒線材の尾端部を切断する方法において、該棒線材の尾端部を切断した後に引き続いて前記フライングシャーを更に１回転以上回転させることを特徴とする棒線材圧延におけるクロップ落下方法。
【００１０】
【発明の実施の形態】
以下、本発明の実施の形態を図面に基いて説明する。図１は棒線材圧延設備の概要を示し、本実施の形態では、加熱炉１で所定温度に加熱されたビレットは、粗圧延機２、中間圧延機３、仕上圧延機４で圧延された後、巻取機５で巻取られる。粗圧延機２と中間圧延機３の間、中間圧延機３と仕上圧延機４の間に棒線材Ｓの先頭部及び尾端部を切断するフライングシャーやロータリーシャーが設置されるが、本発明実施の形態では、粗圧延機２と中間圧延機３の間にフライングシャー６が設置されている例について説明する。
【００１１】
図２は、フライングシャー６のドラム部分の側面図であり、７，８は上下の水平軸９，１０に取付けられて、上下で対をなすドラムであり、ドラム７，８には、その刃先がドラムの外周面から突出した状態で上刃１１、下刃１２がそれぞれ取付け固定されている。ドラム７，８がクランク機構（図示しない）により円Ｒを軌跡として矢印方向に回転することにより、上刃１１、下刃１２により、棒線材Ｓの尾端部を切断することができる。なお、図３は、上刃１１及び下刃１２の正面図であり、両刃ともにＶ字状の溝が形成されている。
【００１２】
次に、フライングシャー下刃の上面に残留したクロップＫを遠心力によって振り落とす方法について説明する。図１に示す棒線材圧延設備を棒線材ｓが通過すると、フライングシャー６の上面流側に設置された検出器（図示しない）が棒線材尾端の通過を検知する。検知信号はフライングシャー６に伝達され、尾端部の所定位置がフライングシャー６に到達したとき、図２に示すドラム７，８が円Ｒに沿って矢印方向に回転して上面刃１１、下刃１２により、棒線材尾端部の所定位置を切断する。
【００１３】
切断後、クロップＫが下刃１２の上面面に残留すると、前記図４（ｅ）のように、後続棒線材の先頭部を切断するとき、残留クロップと後続棒線材の先頭部を一緒に切断することによりミスロールが発生する。
【００１４】
そこで本発明は、（１）フライングシャー６を棒線材の尾端部を切断した後に引き続いて更に１回転以上回転させるか、又は（２）フライングシャー６を棒線材Ｓの尾端部を切断した後、後続の棒線材がフライングシャー６に到達するまでの間において、更に１回転以上回転させる。（１）の方法による場合は、従来は図４（ｃ）の状態で停止していたが、シャー作動の制御を変更することにより、図４（ａ）から図４（ｅ）まで連続して作動するようにした。（２）の方法による場合は、フライングシャー６を図４（ｃ）のように一旦停止させた後、タイマーにより再起動させて図４（ｄ）から図４（ｅ）まで作動させる。
【００１５】
図２に示すように、ドラム７，８を円Ｒに沿って矢印方向に回転させると、下刃１２の上面に残留したクロップＫの殆どは遠心力によって棒線材進行方向に対して後方に投げだされ、一部は棒線材進行方向に投げだされる。
【００１６】
本発明は、下刃１２の上面に残留したクロップＫに回転運動を付加することにより、クロップＫを遠心力によって振り落とす方法であるから、クロップは幾ら短尺であっても確実に落下させることができる。なお、本発明によりクロップを振り落とすためにフライングシャーを回転させる方法として、（１）棒線材の尾端部を切断した後に、後続の棒線材がフライングシャーに到達するまでの間において回転させる方法と、（２）棒線材の尾端部を切断した後に引き続いて回転させる方法があるが、（２）の方が簡単であり、また、回転速度を高速にして大きな遠心力を得ることができる。
【００１７】
【発明の効果】
以上説明したように、本発明に係る棒線材圧延におけるクロップ落下方法は、棒線材の尾端部を切断した後に、後続の棒線材がフライングシャーに到達するまでの間において、フライングシャーを更に１回転以上回転させるか、又は、棒線材の尾端部を切断した後に引き続いてフライングシャーを更に１回転以上回転させることにより、下刃の上面に残留したクロップを遠心力によって落下させる方法であるから、クロップは幾ら短尺であっても確実に落下させることができる。その結果、クロップの短尺化により圧延歩留を向上させることができる。
【図面の簡単な説明】
【図１】本発明の実施の形態における棒線材圧延設備例を示す図。
【図２】本発明により下刃上面面に残留したクロップを遠心力によって落下させる方法を説明する図。
【図３】上刃及び下刃の正面図
【図４】下刃上面にクロップが残留する様子を説明する正面図。
【符号の説明】
１…加熱炉
２…粗圧延機
３…中間圧延機
４…仕上圧延機
５…巻取機
６…フライングシャー
７…上ドラム
８…下ドラム
９…上ドラムの軸
１０…下ドラムの軸
１１…上刃
１２…下刃
Ｓ…棒線材
Ｋ…クロップ
【図１】
2004106047.tif 000003
【図２】
2004106047.tif 000004
【図３】
2004106047.tif 000005
【図４】
2004106047.tif 000006